(57)【特許請求の範囲】
【請求項１】
親局装置と複数の子局装置が伝送路を介して接続された通信システムにおいて、
前記子局装置に設けられ、送信許可信号および送信する信号が供給されることにより、上り信号を送信する送信動作が実行可能となる信号送信手段と、
前記子局装置の動作状態に応じて前記信号送信手段が送信する試験信号およびその送信時間を指定する指定手段と、
前記指定手段により指定された試験信号が、前記指定手段により指定された送信時間に前記信号送信手段に供給され、かつ、前記指定された送信時間に前記送信許可信号が前記信号送信手段に供給されないように、前記子局装置に対して指示する指示手段と、
前記子局装置の動作状態に応じて前記信号送信手段から送信される信号を受信する信号受信手段と、
前記信号受信手段による受信結果に基づいて、前記子局装置の動作状態を検出する動作状態検出手段と、
を備えたことを特徴とする通信システム。
【請求項２】
前記信号送信手段は、前記子局装置が正常動作状態にある場合は前記指定手段により指定された送信時間に上り信号を送信し、前記子局装置が誤動作状態にある場合は前記指定手段により指定された送信時間以外にも上り信号を送信し、
前記動作状態検出手段は、前記子局装置が前記正常動作状態にあるか、前記誤動作状態にあるかを検出すること、
を特徴とする請求項１記載の通信システム。
【請求項３】
前記動作状態検出手段は、前記指示手段により指示された前記子局装置から、前記指定手段により指定した送信時間に対応する時間に、前記試験信号が届いた場合に、前記子局装置が前記誤動作状態にあると判断し、
前記子局装置から、前記指定手段により前記指定された送信時間に対応する時間に、前記試験信号が届かない場合に、前記子局装置は前記正常動作状態にあると判断すること、
を特徴とする請求項２記載の通信システム。
【請求項４】
前記指定手段は、前記複数の子局装置に対してそれぞれ異なる送信時間を指定し、
前記指示手段は、前記複数の子局装置に対して順次前記指示を行うことを特徴とする請求項１〜３のいずれか１項に記載の通信システム。
【請求項５】
前記指示手段は、前記複数の子局装置に対して一斉に前記指示を行うこと、を特徴とする請求項１〜３のいずれか１項に記載の通信システム。
【請求項６】
送信する信号と送信許可信号を供給されることにより、上り信号を送信する信号送信手段を備えた複数の子局装置が伝送路を介して接続された親局装置において、
前記子局装置の動作状態を検出するために用いられ、前記子局装置の動作状態に応じて前記信号送信手段が送信する試験信号および前記試験信号を送信する時間を指定する指定手段と、
前記指定手段により指定された試験信号を、前記指定手段において指定された時間に前記信号送信手段に供給し、かつ、前記指定手段において指定された時間に前記送信許可信号を前記信号送信手段に供給しないように、前記子局装置に対して指示する指示手段と、
前記子局装置の動作状態に応じて前記信号送信手段から送信される信号を受信する信号受信手段と、
前記信号受信手段による受信結果に基づいて、前記子局装置の動作状態を検出する動作状態検出手段と、
を備えたことを特徴とする親局装置。
【請求項７】
上り信号を送信する信号送信手段を備えた複数の子局装置と、前記子局装置に対して前記上り信号を送信する時間を指定する親局装置とを備え、かつ、前記子局装置が正常動作状態にある場合には、前記親局装置により指定された時間についての送信許可信号および送信する上り信号を供給されることにより、前記送信器の送信動作を実行可能となり、前記子局装置が誤動作状態にある場合には、前記親局装置により指定された時間以外に上り方向の信号を、前記信号送信手段が送信するように構成された通信システムに適用可能な、前記子局装置の動作状態を検出する子局装置の動作状態検出方法であって、
前記子局装置からその動作状態に応じて、前記上り信号として送信される試験信号および前記試験信号を送信する時間を指定する指定ステップと、
前記指定ステップにおいて指定された試験信号を、前記指定ステップにおいて指定された時間に前記信号送信手段に供給し、かつ、前記指定ステップにおいて指定した時間に前記送信許可信号を前記信号送信手段に供給しないように、前記子局装置に対して指示する指示ステップと、
前記指示ステップにおける指示に基づき、前記指示を受けた子局装置がその動作状態に応じて、前記指定ステップにおいて指定された時間に前記送信動作を実行する送信動作実行ステップと、
前記信号送信ステップにおいて、前記子局装置の動作状態に応じて送信された信号を前記親局装置が受信する信号受信ステップと、
前記信号受信ステップにおける受信結果に基づいて、前記子局装置の動作状態を検出する動作状態検出ステップと、
を備えたことを特徴とする子局装置の動作状態検出方法。
【発明の詳細な説明】
【技術分野】
【０００１】
この発明は、親局装置と複数の子局装置を、伝送路を共用して通信を行う通信システム、この通信システムに用いられる光通信装置、および、この通信システムに用いられる子局装置の動作状態検出方法に関する。
【背景技術】
【０００２】
複数の子局装置（以下、単に子局と略記する）が伝送媒体を共用して、親局装置（以下、単に親局と略記する）との１対多接続を行う通信システムの一つとして、ＰＯＮ（Passive Optical Network）方式があり、例えば非特許文献１で規定されるＧＥ−ＰＯＮ（Gigabit Ethernet（登録商標）‐PON）などがある。以下、説明の便宜上、光通信システム、特にＰＯＮシステムを例にとって記述する。
【０００３】
これらのシステムでは、複数の子局が親局との通信に用いる伝送媒体を共用するため、上り方向（子局⇒親局）の通信において、各子局が自由に信号を送信させた場合、各子局からの信号が衝突してしまい通信ができなくなる。各子局からの信号を衝突させないようにする必要があるが、例えば、上述のＧＥ−ＰＯＮでは、時分割多重方式を用いて各子局から親局へ送信される信号の衝突を回避している。すなわち、子局から親局に対して送信する信号の波長は同じであるが、親局に対して信号を送信する時刻を親局が各子局に指定し、子局はその指定された時刻に信号を送信することにより、複数の子局からの信号を衝突させることなく、親局で区別して受け取ることができる。また、上り方向の信号（上り信号）と下り方向（親局⇒子局）の信号とで異なる周波数を用いることにより、上下方向においても信号が衝突しないようにしている。
【０００４】
これらの子局では、子局内部に設けられた送信器が発光素子を有しており、発光素子が点滅することにより親局に対して光信号を送信する。通常、子局内に設置される送信器は、連続的に論理回路から送信されるデータ信号と送信器に対して時刻を指定して発光許可を与える発光許可信号を受けて発光し、信号を親局へと送信する。
【０００５】
子局が誤動作、すなわち、割り当てられた時刻以外に発光（誤発光）するような故障をする場合がある。当該子局に割り当てられた時刻以外で発光すると、その時刻に割り当てられている他の子局からの信号と衝突してしまい、正常な通信ができなくなる。子局において自局に割り当てられていない時刻に発光する故障原因の多くは、論理的な故障ではなく、制御回路からの発光許可信号が短絡・断線して、光送信器の発光制御ができなくなるなどの電気的な偶発的故障であることが多い。
【０００６】
正常な通信を行うためには故障した子局を特定し、その子局を修理または交換等することが必要となる。従来の光通信システムでは、子局に自局の電源を切る手段を搭載し、親局からの指示で子局の電源を切ることで発光を止める方法がある。この方法では、異常な子局の発光を止めたときに他の子局との通信が復旧することとなるため、親局の指示により親局配下の子局を順番に電源を停止していき、他の子局との通信が復旧した場合に、電源を停止した子局が故障した子局であると判定している（例えば、特許文献１参照）。
【先行技術文献】
【特許文献】
【０００７】
【特許文献１】特開２００４−１１２７４６公報（図９、第６頁〜第７頁）
【非特許文献】
【０００８】
【非特許文献１】ＩＥＥＥ−８０２．３−２００８
【発明の概要】
【発明が解決しようとする課題】
【０００９】
従来の光通信システムでは、子局を停止した後、正常な子局の通信復旧の有無を確認する必要があり、一台ずつ電源を停止して復旧確認するのは時間がかかるという問題があった。すなわち、各子局に対して指示を出した後、他の子局の通信復旧を認識して異常判定するため、一般には指示の送信後数秒から数十秒後の判定となる。また、子局の台数が増えればさらに長い時間を要することとなる。
【００１０】
本発明は上記の問題を解決するためになされたもので、子局装置が、自局に割り当てられた時間以外に上り信号を送信するような誤動作状態にあるかどうかを迅速に検出することを目的とする。
【課題を解決するための手段】
【００１１】
この発明に係る通信システムは、親局装置と複数の子局装置が伝送路を介して接続された通信システムにおいて、子局装置に設けられ、送信許可信号および送信する信号が供給されることにより、上り信号を送信する送信動作が実行可能となる信号送信手段と、子局装置の動作状態に応じて信号送信手段が送信する試験信号およびその送信時間を指定する指定手段と、指定手段により指定された試験信号が、指定手段により指定された送信時間に信号送信手段に供給され、かつ、指定された送信時間に送信許可信号が信号送信手段に供給されないように、子局装置に対して指示する指示手段と、子局装置の動作状態に応じて信号送信手段から送信される信号を受信する信号受信手段と、信号受信手段による受信結果に基づいて、子局装置の動作状態を検出する動作状態検出手段と、を備える。
【００１２】
また、この発明に係る親局装置は、送信する信号と送信許可信号を供給されることにより、上り信号を送信する信号送信手段を備えた複数の子局装置が伝送路を介して接続された親局装置において、子局装置の動作状態を検出するために用いられ、子局装置の動作状態に応じて信号送信手段が送信する試験信号および試験信号を送信する時間を指定する指定手段と、指定手段により指定された試験信号を、指定手段において指定された時間に信号送信手段に供給し、かつ、指定手段において指定された時間に送信許可信号を信号送信手段に供給しないように、子局装置に対して指示する指示手段と、子局装置の動作状態に応じて信号送信手段から送信される信号を受信する信号受信手段と、信号受信手段による受信結果に基づいて、子局装置の動作状態を検出する動作状態検出手段と、を備える。
【００１３】
上り方向の信号を送信する信号送信手段を備えた複数の子局装置と、子局装置に対して上り信号を送信する時間を指定する親局装置とを備え、かつ、子局装置が正常動作状態にある場合には、親局装置により指定された時間についての送信許可信号および送信する上り信号を供給されることにより、送信器の送信動作を実行可能となり、子局装置が誤動作状態にある場合には、親局装置により指定された時間以外に上り方向の信号を、子局装置の信号送信手段が送信するように構成された通信システムに適用可能な、子局装置の動作状態を検出する子局装置の動作状態検出方法であって、子局装置からその動作状態に応じて、上り信号として送信される試験信号および試験信号を送信する時間を指定する指定ステップと、指定ステップにおいて指定された試験信号を、指定ステップにおいて指定された時間に信号送信手段に供給し、かつ、指定ステップにおいて指定した時間に送信許可信号を信号送信手段に供給しないように、子局装置に対して指示する指示ステップと、指示ステップにおける指示に基づき、指示を受けた子局装置がその動作状態に応じて、指定ステップにおいて指定された時間に送信動作を実行する送信動作実行ステップと、信号送信ステップにおいて、子局装置の動作状態に応じて送信された信号を親局装置が受信する信号受信ステップと、信号受信ステップにおける受信結果に基づいて、子局装置の動作状態を検出する動作状態検出ステップと、を備える。
【発明の効果】
【００１４】
本発明によれば、子局装置が、自局に割り当てられた時間以外に上り信号を送信するような誤動作状態にあるかどうかを迅速に検出することができる。
【図面の簡単な説明】
【００１５】
【図１】本発明の実施の形態１に示す光通信システムの構成図である。
【図２】本発明の実施の形態１に示す光通信システムの異常の状況を説明するタイムチャートである。
【図３】本発明の実施の形態１に示す子局装置の動作状態を検出する検出方法についてのフローチャートである。
【図４】本発明の実施の形態１に示す特殊ループバック指示と、誤動作子局の判定方法を示すシーケンス図である。
【図５】本発明の実施の形態２に示す特殊ループバック指示を一斉送信した場合の、誤動作子局の判定方法を示すシーケンス図である。
【発明を実施するための形態】
【００１６】
実施の形態１．
本発明を適用した通信システムについて、ＰＯＮシステムを例にとり説明する。図１に、本発明の実施の形態１に係るＰＯＮシステムの構成図を示す。図１に示すＰＯＮシステムは、親局に３つの子局が接続されている。親局と子局間の通信には時分割多重方式を用いて通信を行うものとし、上り方向（子局→親局）の通信と下り方向（親局→子局）の通信とで、異なる波長を用いることにより、信号が衝突しないようにしている。なお、図１では、１つの親局に対して、３つの子局が接続されている構成について示しているが、本発明は親局に接続される子局の数に制限はなく、３つ以外の子局が接続される場合にも当然に適用することができる。
【００１７】
図１において、親局であるＯＬＴ（局側通信装置、Optical Line Terminal）１と、子局である複数のＯＮＵ（加入者側通信装置、Optical Network Unit）３ａ〜３ｃ（以下、１つのＯＮＵを特定しない場合、または、ＯＬＴ１に接続されたＯＮＵを総称する場合はＯＮＵ３という）が光ファイバ１０を介して接続されており、光ファイバ１０は光分配器２によって子局３の数に対応して分岐されている。子局３ｂは、波長多重分離手段４、光受信器５、光送信器６、および論理回路７を備えており、加入者端末１１が接続されている。なお、図１においては省略しているが、ＯＮＵ３ａ，３ｃも同様の構成となっている。
【００１８】
波長多重分離手段４は、異なる波長である上り信号と下り信号の波長を分離し、下り信号については、分離した後に光受信器５へ転送する。光受信器５は、波長多重分離手段４から受信した光信号を電気信号に変換し、その電気信号を論理回路７へ転送する。論理回路７は、光送信器６に対して２つの信号を供給する出力端子を備えており、ＯＬＴ１へ送信する信号（以下、適宜、単に送信信号と略記する）および送信許可信号としての発光許可信号を送信し、光送信器６を制御する。ここで、送信信号９は、送信するデータのビットにあわせて信号のＨ／Ｌを入力する主信号入力であり、送信信号９に基づいて送信器６に設けられた発光素子が点滅することによりＯＬＴ１へ信号を送信する。また、送信信号は連続信号であり、指定された時刻には、データ信号を、指定された時刻以外では特定の意味を持たない信号、例えば、アイドル信号を送信する。また、発光許可信号８は、ＯＮＵの光送信器６の発光状態または無発光状態を制御する送信イネーブル信号入力である。光送信器６は、送信信号９および発光許可信号８を論理回路７より入力された場合にのみ、ＯＬＴ１に対して信号を送信するように構成されている。
【００１９】
まず、正常な動作および異常が発生した場合の動作について、図２を参照して説明する。図２において、横軸は時間を表しており、縦軸は光ファイバ１０を伝搬する光信号の強度を表している。なお、ここでは上り方向の通信についてのみ説明する。図２に示すように、上り方向の通信において、各ＯＮＵはＯＬＴから指定された時間にのみ信号を送信することにより、各ＯＮＵから送信される信号が衝突しないようにしている。ＯＬＴからＯＮＵ３ｂに対して送信する下り方向の信号には、ＯＮＵ３ｂを介して加入者端末１１に転送する信号の他に、ＯＮＵ３ｂに対する制御信号が含まれる。
【００２０】
この制御信号により、上り方向でＯＮＵ３ｂの送信が許可された時間（図２ではｔ＝ｔ００からｔ＝ｔ０１まで）を指示する。この送信時間では、加入者端末１１からのデータ信号を含む上り信号が論理回路７から電気信号として光送信器６に送られる。同時に光送信器６に対して、ＯＮＵの光送信器６内に設けられた発光素子を発光状態にするような発光許可信号が送られ、指定された時間だけ発光するように制御している。同様に、ＯＮＵ３ｃに対してはｔ＝ｔ１０〜ｔ＝ｔ１１を指定して送信許可を与えている。各ＯＮＵが正常に動作している場合、指定された時間内のみ信号を送信することによりお互いの信号が衝突することなく、正常な通信を行うことができる。
【００２１】
一方、ＯＮＵ３ｂに故障が発生し、図１に示すようにＯＮＵ３ｂの送信器または論理回路の発光許可信号に係る部分に故障１２が発生したとすると、図２に示すように、ＯＮＵ３ｂが自局に割り当てられた時間（ｔ＝ｔ００〜t０１）以外でも発光することとなる。ＯＮＵ３ｃに割り当てられた時間（ｔ＝ｔ１０〜ｔ＝ｔ１１）では、ＯＮＵ３ｂからの信号とＯＮＵ３ｃからの信号が重なりあうこととなり、ＯＬＴ側で区別することができなくなる。したがって、正常な通信を行うことができず、故障したＯＮＵを修理または交換する必要がある。なお、ＯＮＵ３ｂは、正常にデータ信号は送信器６に供給されている（論理的には正常に動作）ため、子局３ｂの割り当て時間には、正常な信号が送信されているが、それ以外の時間では、例えば、アイドル信号を送信し続けるなど、意味のあるデータは出力されない。
【００２２】
次に、誤動作装置の検出処理動作について説明する。
図３に、実施の形態１に係る光通信システムにおける誤発光装置検出処理のフローチャートを示す。ここでは、ＯＬＴ１において、ＯＮＵ３との通信状態を監視し、ＯＮＵとの通信において異常が検出された場合に検出処理を行うものとする。また、ＯＬＴに接続されるＯＮＵの数をＮとし、各ＯＮＵについて番号（＃１〜＃Ｎ）を設定して、＃１から順に検出処理を行うものとする。なお、ＯＮＵ３ａおよびＯＮＵ３ｃは正常動作状態にあり、ＯＮＵ３ｂは、指定された時間以外にも信号を送信する誤動作状態にあるものとする。
【００２３】
まず、ＯＬＴにおいてＯＬＴとＯＮＵ間の通信状態を監視し（ステップＳ１）、通信状態の異常を検出した場合に、パラメータｎを初期化する(ステップＳ２)。次に、ＯＬＴからＯＮＵ＃１(３ａ)に対して、後述する検出処理を行うための指示（以下、特殊ループバック指示とする）を送信する（ステップＳ３）。特殊ループバック指示は、ＯＬＴからＯＮＵへ送信される制御信号に含まれる。ここで、特殊ループバック指示とは、ＯＬＴからＯＮＵに対し、送信する時間を指定して、検出処理を行うための特定の信号（以下、試験信号（テストデータ）とする）を送信する指示、および、この指定した時間にＯＮＵの光送信器を無発光状態にするような指示である。すなわち、送信信号９として試験信号を論理回路７から送信器６へ供給するよう指示するが、発光許可信号８については論理回路７から送信器６へ送信しないよう指示する。なお、送信器において指定された時間については発光許可信号を認識しないような設定としてもよい。
【００２４】
ここで、試験信号について説明する。試験信号は、ＯＬＴ１と各子局間でパターンの相互認識がされている必要がある。ここでは、ＯＬＴがＯＮＵに対して送信した、特殊ループバック指示が含まれる制御信号をそのまま返信するものとして説明する。
【００２５】
特殊ループバック指示が含まれる制御信号を受信したＯＮＵは、この指示に基づいて処理を行うが、正常動作状態にあるＯＮＵと、故障すなわち誤動作状態にあるＯＮＵとで異なる動作をすることとなる（ステップＳ４）。正常なＯＮＵ３ａがこの特殊ループバック指示含む制御信号を受信した場合においては、この特殊ループバック指示に従い、送信信号９として指定された試験信号（ここでは、この特殊ループバック指示含む制御信号そのまま）を光送信器６に入力するが、発光許可信号８が入力されないため実際には発光せず、上り信号は送信されない。
【００２６】
一方、誤動作状態にあるＯＮＵ３ｂにこの特殊ループバック指示を送信した場合、子局３ｂではこの特殊ループバック指示に従って、論理回路７は光送信器６に対して、送信信号９として試験信号を供給する。一方、発光許可信号８に関しては、故障により発光制御が利かない、すなわち、発光許可信号８が指定された時間以外にも出続けるため、子局３ａから発光許可が与えられていない時間にでも上り信号が送信されることとなる。したがって、誤動作状態にあるＯＮＵ３ｂは発光許可信号８が供給されないように指示されたにもかかわらず、故障により発光許可信号が供給され続けるため、ＯＬＴ１に対して試験信号が送信されることとなる。
【００２７】
本発明に係る検出方法を実施した場合において、ＯＬＴ側で受信する信号およびＯＬＴにおける指示を行ったＯＮＵ判断方法について説明する。ＯＬＴは、特殊ループバック指示を行ったＯＮＵから、試験信号を受信した場合に、その特殊ループバック指示を行ったＯＮＵが誤動作状態にあると判断する。
【００２８】
誤動作状態にあるＯＮＵ３ｂに対して、特殊ループバック指示を送信した場合には、上述のようにＯＮＵ３ｂから送信された試験信号を受信することとなる。したがって、ＯＮＵ３ｂは誤動作状態にあると判断することができる。一方、正常なＯＮＵ３ｂに対して特殊ループバック指示を送信した場合には、この指示に従って上り信号は送信されないため、ＯＬＴにより指定された時間に対応する時間に試験信号は受信しない（ステップＳ５）。なお、正常なＯＮＵ３ａに対して特殊ループバック指示を送信した場合でも、特殊ループバック指示を送信していない故障したＯＮＵ３ｂからは常時信号が送信されているため、ＯＮＵ３ａに対する特殊ループバック指示において指定した時間であっても何らかの信号が届くこととなる。しかし、故障したＯＮＵ３ｂから届く信号はアイドル信号などの特定の意味を持たない信号であり、試験信号は届かない。ここでは、試験信号を受信したかどうかを判断基準とすることにより、ＯＮＵ３ａは正常動作状態にあると判断することができる。
【００２９】
ＯＬＴ１が試験信号を受信し、特殊ループバック指示を送信したＯＮＵが誤動作状態にあると判断した場合には、このＯＮＵの交換修理を行う（ステップＳ６）。ＯＬＴが試験信号を受信せず、特殊ループバック指示を送信したＯＮＵが正常であると判断した場合には、ｎ＝ＮすなわちすべてのＯＮＵに対して検査が終了した場合には終了し（ステップＳ７）、それ以外の場合には、ｎに１を加えて（ステップＳ８）次のＯＮＵに対して特殊ループバック指示を与え、故障したＯＮＵが検出されるまでこの動作を繰り返す。これにより、複数のＯＮＵから故障したＯＮＵを検出することができる。
【００３０】
これらの子局と親局のやり取りを図４に示すシーケンス図を用いて説明する。ＯＮＵのいずれかに故障が疑われる場合、まずＯＬＴからＯＮＵ３ａに特殊ループバック指示を送信する。正常動作状態にあるＯＮＵ３ａでは、この特殊ループバック指示を受信した場合でも、指定された時間に試験信号を送信せず、指定された時間に対応する時間にＯＬＴでは試験信号を受信しないのでＯＮＵ３ａは正常と判断する。次に、誤動作状態にあるＯＮＵ３ｂに対して特殊ループバック指示を送信する。特殊ループバック指示では、発光を禁止しているが、ＯＮＵ３ｂでは故障により発光制御が利かないため、ＯＮＵ３ｂから時刻ｔ＝ｔ３０からｔ＝ｔ３１の間に試験信号が送信され、ＯＬＴで受信される。ＯＬＴにおいて誤動作状態にあるＯＮＵは、試験信号を受信してすぐ判定できるため、ＯＮＵ１台分の判定時間はＯＬＴから特殊ループバック指示を送信してから、誤動作子局から返信された試験信号を受信するまでの時間となる。実装方法にもよるが、特殊ループバック指示送信から誤動作子局の判定まで１００ミリ秒程度で判定が可能となり、従来の検出方法と比べて大幅に検出時間を短縮することができる。
【００３１】
実施の形態１に係る光通信システムでは、上述のような構成をしているため、子局が故障し、自局に割り当てられた時間以外でも発光する場合（誤動作状態）においても、書く子局の動作状態を迅速に検出することができ、また、迅速に複数の子局のうちその誤動作状態にある子局を検出することができる。
【００３２】
なお、ここでは、ＯＮＵは試験信号として、ＯＬＴから送信された制御信号をそのまま返信する場合について示したが、ＯＬＴとＯＮＵにおいて試験信号のパターンが相互認識されていればよく、これに限ったものではない。例えば、予め本発明に係る検出方法に用いる試験信号を定めてＯＬＴおよび各ＯＮＵ内のメモリ等に保存しておき、各ＯＮＵはＯＬＴから特殊ループバック指示を受けた場合、メモリ等を参照してＯＬＴに対して試験信号を送付するような構成としてもよい。また、ＯＮＵごとに異なる試験信号を予め定めて各ＯＮＵ内のメモリ等に保存しておくようにしてもよい。この場合、ＯＬＴにおいて信号を受信した場合に、受信した信号がどのＯＮＵから送信されたかが区別できるため、検出精度を向上させることができる。また、各ＯＮＵに複数種類の試験信号を保存しておき、ＯＬＴから特殊ループバック指示において、ＯＮＵごとにどの試験信号を送信するかを指示し、ＯＬＴが受信した信号がどのＯＮＵから送信された信号であるかを区別するような構成としてもよい。
【００３３】
なお、実施の形態１に係る光通信システムは、従来の光通信システムにおいて設けられているループバック機能を拡張することによっても実現することもできる。ここで、ループバック機能とは、各子局の正常動作を確認する目的で設けられた機能で、親局から子局に対し、時間を指定して、親局から送信した信号を、子局から親局に送り返すことで通信の正常性を確認する試験機能（ループバック機能）である。本発明は、このループバック機能を拡張し、信号を送信するが、光送信器への発光指示は無意とする特殊なループバック指示を定義することにより実施することもできる。
【００３４】
したがって、上述の特許文献１に記載の光通信システムのように、子局側に親局からの指示により電源を切る手段を実装する必要はなく、本発明に係る光通信システムでは、従来の光通信システムに設けられているループバック機能を拡張することにより、容易に実現することができ、製造コストを抑えることができるという効果が得られる。
【００３５】
本実施の形態では、ＰＯＮシステムを例にとり、本発明を適用した通信システムについて説明したが、これに限られるものではなく、本発明の趣旨を逸脱しない限り他の通信システムに適用できることは言うまでもない。
【００３６】
実施の形態２．
実施の形態１では、子局１台ずつ順番に特殊ループバック指示を送信するシステムについて示したが、実施の形態２に係る光通信システムでは、複数の子局に対して、異なる送信時間を指定して、一斉に特殊ループバック指示を送信する構成としている。実施の形態２に係る光通信システムの構成は、実施の形態１と同様であり、図１に示す通りである。
【００３７】
次に、誤発光装置の検出処理動作について説明する。図５に、実施の形態２に係る光通信システムにおけるＯＬＴと複数のＯＮＵの信号のやり取りを示すシーケンス図を示す。図５に示すように、ＯＬＴは配下のＯＮＵに対して一斉に特殊ループバック指示を送信する。ＯＬＴ１は、ＯＮＵ３ａに対してはｔ＝ｔ００〜ｔ０１、ＯＮＵ３ｂに対してはｔ＝ｔ１０〜ｔ１１、ＯＮＵ３ｃに対してはｔ＝ｔ２０〜ｔ２１を指定して特殊ループバック指示を送信するものとする。特殊ループバック指示を受信した正常動作状態にあるＯＮＵの動作、および、誤動作状態にあるＯＮＵの動作については、実施の形態１に示す場合と同様である。また、ＯＬＴにおける、正常動作状態および誤動作状態にあるＯＮＵからの信号受信および誤動作装置検出の方法についても実施の形態１に示す場合と同様である。
【００３８】
実施の形態２に係る光通信システムでは、ＯＬＴにおいて一度の手順で済み、実施の形態１の場合と比べさらに簡易かつ迅速に誤動作装置の検出を行うことができる。
【００３９】
なお、ここでは、ＯＬＴから各ＯＮＵに異なる時間を指定して、特殊ループバック指示を送信する場合について示したが、ＯＮＵごとに異なる内容の試験信号を指定して、同じ時間に送信させるようにしても良い。この場合、子局ごとに異なる試験信号を保存しておき、また、親局は子局が保存する。例えば、各ＯＮＵの登録番号と組み合わせるような構成としてもよい。誤動作状態にあるＯＮＵが一つであれば、誤動作状態にあるＯＮＵのみから信号が送信されるため、信号を受信したＯＬＴは、受け取った信号の内容を解読し、受け取った試験信号を指定したＯＮＵが誤動作状態にあると判断することができる。これにより、さらに迅速に誤発光装置の検出処理を行うことができる。
【符号の説明】
【００４０】
１  ＯＬＴ、２  光分配器、３ａ,ｃ  ＯＮＵ(正常)、３ｂ  ＯＮＵ(異常)、４  波長多重分離手段、５  光受信器、６  光送信器、７  論理回路、８  発光許可信号、９  送信信号、１０  光ファイバ、１１  加入者端末。
【図１】
0005561230.tif 000002
【図２】
0005561230.tif 000003
【図３】
0005561230.tif 000004
【図４】
0005561230.tif 000005
【図５】
0005561230.tif 000006